(57)【要約】      （修正有）【課題】ハンドル操作や油圧回路の制御が容易な油圧式プーラを提供する。【解決手段】シリンダ２と、ポンプ３と、オイルタンク４と、プーラヘッド５と、操作ハンドル３２を含んでなり、シリンダ２には外周面に雄ねじ山を螺刻し、前記プーラヘッド５の内壁に雌ねじ山を螺刻してなり、前記シリンダの内部には、軸心に沿ってオイル室４１が形成されるピストン３１と、前記オイル室内に設けられる中空のオイルガイド管２５とを摺動自在に収納するとともに、前記ピストンの下端にはニードルセット２６を設け、オイルガイド管２５は上端が前記シリンダに形成された中心孔部の下端に連結し、前記プーラヘッドは外周面に等間隔で複数の接続部５１を設け、連結板５２を介してツメ５３を回動自在に設ける。プーラヘッドは上面に操作盤５５を設け、締結部材５４を挿通させてプーラヘッドの接続部の上面に形成したネジ孔に螺合させた構成とした。【選択図】図３
0003100838.tif 000002
【実用新案登録請求の範囲】
【請求項１】
シリンダと、ポンプと、オイルタンクと、プーラヘッドと、操作ハンドルを含んでなり、前記シリンダの下半部には外周面に雄ねじ山を螺刻し、前記プーラヘッドの内壁に前記雄ねじ山に対応して螺合する雌ねじ山を螺刻してなり、前記シリンダの内部には、軸心に沿ってオイル室が形成されるピストンと、前記オイル室内に設けられる中空のオイルガイド管とを摺動自在に収納するとともに、前記ピストンの下端にはニードルセットを設け、前記オイルガイド管は上端が前記シリンダに形成された中心孔部の下端に連結し、前記プーラヘッドは外周面に等間隔で複数の接続部を外方向に突起するように設け、更に連結板の上端を前記接続部に回動自在に設け、前記連結板の下端はツメの略中間の位置に摺動自在に連結するように構成してなる油圧式プーラにおいて、
前記プーラヘッドは、上面に操作盤を設け、前記操作盤は、円周に沿って複数の切欠部を形成するとともに、前記プーラヘッドの上端に嵌挿するための孔部を穿設し、前記孔部に沿って複数のスライド溝を穿設し、前記スライド溝には締結部材を挿通させ、かつ前記締結部材の一端をプーラヘッドの接続部の上面に形成したネジ孔に螺合させるようにしたことを特徴とする油圧式プーラ。
【請求項２】
前記シリンダは、上面に中空の突起部を一体に形成し、かつ上面から一端がオイルタンク内部のオイル室に連通する傾斜孔を形成するとともに、前記シリンダの上段部に、略中間の位置が前記傾斜孔に連通する第１収納孔と、略中間の位置が、垂直方向に形成され、且つ下端が前記シリンダのオイル室に連通する下方ガイド孔に連通する第２収納孔と、略中間の位置が、垂直方向に形成され、且つ上端が前記オイルタンクのオイル室に連通する上方ガイド孔に連通する第３収納孔と、略中間の位置が、前記第１収納孔の内部側の一端に連通し、且つ下端が前記シリンダ内のオイル室に連通する貫通孔と、を形成してなり、
前記シリンダの上面に形成する中空の突起部の内部に設けられ、一端が前記ポンプの下端に接続して、前記ポンプ内のピストンがハンドルの動作に伴い外方向に移動する場合、オイルタンク内のオイル室に収納されるオイルをポンプ内に吸入するオイル吸入逆流防止弁と、
前記オイル吸入逆流防止弁の内部に設けられ、前記ポンプ内のオイルが逆流してオイルタンクのオイル室に流れ込むことを防ぐ高圧逆流防止弁と、
前記シリンダの上段部に形成する第１収納孔内に設けられるオイル回収スイッチと、
前記シリンダの上段部に形成する第１収納孔の内側に設けられる逆流防止弁と、
前記シリンダの上段部に形成する第２収納孔内に設けられる圧力切換弁と、
前記シリンダの上段部に形成する貫通孔の上端に螺着して固定する高速オイル補給弁と、
前記シリンダの上段部に形成する第３収納孔内に設けられる調整弁とを含むオイル回路制御装置によって制御される二段速度型オイル回路を備えることを特徴とする請求項１に記載の油圧式プーラ
【請求項３】
前記操作ハンドルが、長さを自在に調整できる伸縮型の操作ハンドルであることを特徴とする請求項１に記載の油圧式プーラ
【考案の詳細な説明】
【技術分野】
【０００１】
この考案は、油圧式プーラに関し、特に引き抜き作業を行う油圧式プーラに関する。
【背景技術】
【０００２】
従来の油圧式プーラは、使用者がプーラヘッドを手で回転させると、プーラヘッドがオイル缶の下方に螺刻した雄ねじ山に沿って下がり、ツメを駆動して展開、収縮させる。但し、従来の油圧式プーラのプーラヘッドは回転の動作を行う場合に、必要とする支点がなく不便である。
また、従来の油圧式プーラはオイル回路の制御装置が単一速度型に設定されているため、オイル回路の制御速度が遅い。よって、操作軸の上方に設けられるニードルセットが、軸に接する以前において、使用者は何度もハンドルを上下に動かして操作軸のニードルセットを移動させ、はじめてニードルセットを位置決めすることができる。
また、従来の油圧式プーラのオイル回路の制御装置は外部接続型であるため、使用者が調整を間違えることが常時発生し、安全性に欠ける。
実際の作業環境、地形などの要素によって使用上の制限を受け、長さの異なるハンドルに交換する必要が起きる場合もあるが、従来の油圧式プーラの操作ハンドルは固定式であるため、このような必要に対応することが出来ず不便である。
【考案の開示】
【考案が解決しようとする課題】
【０００３】
この考案は、ハンドル操作、もしくは油圧回路の制御が容易な油圧式プーラを提供することを課題とする。
【課題を解決するための手段】
【０００４】
そこで、本考案者は従来の技術に見られる欠点に鑑みて鋭意研究を重ねた結果、シリンダと、ポンプと、オイルタンクと、プーラヘッドと、操作ハンドルを含んでなる油圧式プーラにおいて、前記シリンダの下半部には外周面に雄ねじ山を螺刻し、前記プーラヘッドの内壁に前記雄ねじ山に対応して螺合する雌ねじ山を螺刻してなり、前記シリンダの内部には、軸心に沿ってオイル室が形成されるピストンと、前記オイル室内に設けられる中空のオイルガイド管とを摺動自在に収納するとともに、前記ピストンの下端にはニードルセットを設け、前記オイルガイド管は上端が前記シリンダに形成された中心孔部の下端に連結し、前記プーラヘッドは外周面に等間隔で複数の接続部を外方向に突起するように設け、更に連結板の上端を前記接続部に回動自在に設け、前記連結板の下端はツメの略中間の位置に摺動自在に連結するように構成するとともに、前記プーラヘッドの上面に操作盤を設け、前記操作盤は、円周に沿って複数の切欠部を形成するとともに、前記プーラヘッドの上端に嵌挿するための孔部を穿設し、前記孔部に沿って複数のスライド溝を穿設し、前記スライド溝には締結部材を挿通させ、かつ前記締結部材の一端をプーラヘッドの接続部の上面に形成したネジ孔に螺合させる油圧式プーラの構造によって課題を解決できる点に着眼し、かかる知見に基づいて本考案を完成させた。
【０００５】
また、上述する油圧式プーラに、前記ポンプ内のピストンがハンドルの動作に伴い外方向に移動する場合、オイルタンク内のオイル室に収納されるオイルをポンプ内に吸入するオイル吸入逆流防止弁と、前記ポンプ内のオイルが逆流してオイルタンクのオイル室に流れ込むことを防ぐ高圧逆流防止弁と、オイル回収スイッチと、逆流防止弁と、圧力切換弁と、高速オイル補給弁と、調整弁とによってなるオイル回路制御装置を設けることによって本考案の課題を解決する油圧式プーラが得られる。
【０００６】
以下、この考案について具体的に説明する。
請求項１に記載する油圧式プーラは、シリンダと、ポンプと、オイルタンクと、プーラヘッドと、操作ハンドルを含んでなり、前記シリンダの下半部には外周面に雄ねじ山を螺刻し、前記プーラヘッドの内壁に前記雄ねじ山に対応して螺合する雌ねじ山を螺刻してなり、前記シリンダの内部には、軸心に沿ってオイル室が形成されるピストンと、前記オイル室内に設けられる中空のオイルガイド管とを摺動自在に収納するとともに、前記ピストンの下端にはニードルセットを設け、前記オイルガイド管は上端が前記シリンダに形成された中心孔部の下端に連結し、前記プーラヘッドは外周面に等間隔で複数の接続部を外方向に突起するように設け、更に連結板の上端を前記接続部に回動自在に設け、前記連結板の下端はツメの略中間の位置に摺動自在に連結するように構成してなる油圧式プーラにおいて、
前記プーラヘッドは、上面に操作盤を設け、前記操作盤は、円周に沿って複数の切欠部を形成するとともに、前記プーラヘッドの上端に嵌挿するための孔部を穿設し、前記孔部に沿って複数のスライド溝を穿設し、前記スライド溝には締結部材を挿通させ、かつ前記締結部材の一端をプーラヘッドの接続部の上面に形成したネジ孔に螺合させることを特徴とする。
【０００７】
請求項２の考案は、請求項１に記載した油圧式プーラにおいて、前記シリンダには、上面に中空の突起部を一体に形成し、かつ上面から一端がオイルタンク内部のオイル室に連通する傾斜孔を形成するとともに、前記シリンダの上段部に、略中間の位置が前記傾斜孔に連通する第１収納孔と、略中間の位置が、垂直方向に形成され、且つ下端が前記シリンダのオイル室に連通する下方ガイド孔に連通する第２収納孔と、略中間の位置が、垂直方向に形成され、且つ上端が前記オイルタンクのオイル室に連通する上方ガイド孔に連通する第３収納孔と、略中間の位置が、前記第１収納孔の内部側の一端に連通し、且つ下端が前記シリンダ内のオイル室に連通する貫通孔と、を形成してなり、前記シリンダの上面に形成する中空の突起部の内部に設けられ、一端が前記ポンプの下端に接続して、前記ポンプ内のピストンがハンドルの動作に伴い外方向に移動する場合、オイルタンク内のオイル室に収納されるオイルをポンプ内に吸入するオイル吸入逆流防止弁と、前記オイル吸入逆流防止弁の内部に設けられ、前記ポンプ内のオイルが逆流してオイルタンクのオイル室に流れ込むことを防ぐ高圧逆流防止弁と、前記シリンダの上段部に形成する第１収納孔内に設けられるオイル回収スイッチと、前記シリンダの上段部に形成する第１収納孔の内側に設けられる逆流防止弁と、前記シリンダの上段部に形成する第２収納孔内に設けられる圧力切換弁と、前記シリンダの上段部に形成する貫通孔の上端に螺着して固定する高速オイル補給弁と、前記シリンダの上段部に形成する第３収納孔内に設けられる調整弁とを含むオイル回路制御装置によって制御される二段速度型オイル回路を具えることを特徴とする。
【０００８】
請求項３の考案は、請求項１に記載した油圧式プーラにおいて、前記操作ハンドルが、長さを自在に調整できる伸縮型の操作ハンドルであることを特徴とする。
【考案の効果】
【０００９】
この考案による油圧式プーラは、ハンドル操作、もしくは油圧回路の制御が容易になるという効果を有する。
【考案を実施するための最良の形態】
【００１０】
この考案による油圧式プーラは、図１〜図４に開示するように、オイル回路制御装置１と、シリンダ２と、ポンプ３と、オイルタンク４と、プーラヘッド５とを含んでなり、シリンダ２の下半部には外周面に雄ねじ山２３を螺刻し、プーラヘッド５の内壁に前記雄ねじ山２３に対応して螺合する雌ねじ山５０を螺刻する。シリンダ２の内部にはピストン２４と、オイルガイド管２５を摺動自在に収納する。前記ピストン２４の下端には、ニードルセット２６を設ける。また、オイルガイド管２５は中空の管体であって、ピストン２４の軸心に沿って形成されるオイル室２４０内に設けられ、上端がシリンダ２の中心に形成された中心孔部２２８の下端に連結する。プーラヘッド５は、外周面に等間隔で複数の接続部５１を外方向に突起するように設け、更に連結板５２の上端を前記接続部５１に回動自在に設ける。連結板５２の下端はツメ５３の略中間の位置に摺動自在に連結する。
【００１１】
プーラヘッド５は上面に操作盤５５が設けられている。この操作盤５５は、円周に沿って複数の切欠部５５１を有し、円周に複数のフック状部が形成されている。また、操作盤５５にはプーラヘッド５の上端に嵌挿するための孔部を穿設し、前記孔部に沿って複数のスライド溝５５２を穿設している。前記スライド溝５５２には、例えば、固定ボルトなどからなる締結部材５４を挿通させ、前記締結部材５４の一端はプーラヘッド５の接続部５１の上面に形成したネジ孔５１１に螺合させる。このため操作盤５５を手動で回転させると、プーラヘッド５を昇降させてツメ５３の開閉動作を制御することができる。また、操作盤５５には、切欠部５５１が形成されるため、操作盤５５を手動で回転させる場合、滑り止めの作用が得られ、便利である。
【００１２】
この考案におけるオイル回路制御装置１の構造を図２に開示する。図面によれば、オイル回路制御装置１は、オイル吸入逆流防止弁１１と、高圧逆流防止弁１２と、オイル回収スイッチ１３と、逆流防止弁１４と、圧力切換弁１５と、高速オイル補給弁１６と、圧力調整弁１７とを含んでなる。
【００１３】
図３〜図５に開示するように、オイル吸入逆流防止弁１１はシリンダ２の上方に形成された中空の突起部２１の内部に設けられ、ポンプ３の下端に接続する。前記オイル吸入逆流防止弁１１は、ポンプピストン３１は、ハンドル３２の動作に伴い外方向に移動する場合、オイルタンク４内のオイル室４１に収納されているオイルをポンプ３内に吸引する作用を有する。
【００１４】
図８，図１０，図１１に開示するように、高圧逆流防止弁１２はオイル吸入逆流防止弁１１の内部に設けられ、ポンプ３内のオイルが逆流してオイルタンク４のオイル室４１に流れ込むことを防ぐ作用を有する。
【００１５】
オイル回収スイッチ１３と逆流防止弁１４は、シリンダ２の上段部２２に形成する第１収納孔２２１内に設けられる。前記第１収納孔２２１は、略中間の位置がシリンダ２の上面から形成された傾斜孔２２２に連通し、前記傾斜孔２２２の一端はオイルタンク４の内部に形成されたオイル室４１に連通する。
【００１６】
圧力切換弁１５は、シリンダ２の上段部２２に形成される第２収納孔２２３内に設けられる。図１３に開示するように、前記第２収納孔２２３の略中間の位置は、垂直方向に形成される下方ガイド孔２２４に連通する。前記下方ガイド孔２２４の一端は、シリンダ２内のオイル室２０に連通する。
【００１７】
高速オイル補給弁１６は、図３，５に開示するように、シリンダ２の上段部２２に形成された貫通孔２２７の上端に螺着して固定する。前記貫通孔２２７の略中間の位置は第１収納孔２２１の内部側の一端に連通し、且つ前記貫通孔２２７の下端はシリンダ２内のオイル室２０に連通する。
【００１８】
図５，図１３に開示するように、圧力調整弁１７はシリンダ２の上段部２２に形成された第３収納孔２２５内に設けられる。前記第３収納孔２２５の他端は、図１３に開示するように、垂直方向に形成される上方ガイド孔２２６に連通する。前記上方ガイド孔２２６の一端は、オイルタンク４のオイル室４１に連通する。
【００１９】
以上のように、本考案の油圧式プーラの組み立てについては、図３に開示するように、シリンダ２の下半部には外周面に雄ねじ山２３を螺刻し、プーラヘッド５の内壁に前記雄ねじ山２３に対応して螺合する雌ねじ山５０を螺刻する。シリンダ２内にはピストン２４と、オイルガイド管２５を摺動自在に収納する。前記ピストン２４の下端には、ニードルセット２６を設ける。また、オイルガイド管２５は中空の管体であって、ピストン２４の軸心に沿って形成されるオイル室２４０内に設けられ、上端がシリンダ２の上段部２２の中心に形成する中心孔部２２８の下端に連結する。
【００２０】
プーラヘッド５は、外周面に等間隔で複数の接続部５１を外方向に突起するように設け、前記接続部５１に連結板５２の上端を回動自在に設ける。前記連結板５２の下端はツメ５３の略中間の位置に摺動自在に連結する。
【００２１】
また、図７、図７−１に開示するように、プーラヘッド５は、上面に操作盤５５を設ける。操作盤５５は、円周に沿って複数の切欠部５５１を形成し、円周に複数のフック状部を形成する。また、操作盤５５はプーラヘッド５の上端に嵌挿するための孔部を穿設し、前記孔部に沿って複数のスライド溝５５２を穿設する。
【００２２】
以上のように構成された本考案の油圧式プーラは、操作盤５５を手動で回転させると、プーラヘッド５が昇降してツメ５３の収縮、展開である開閉動作を制御することができる。この場合、操作盤５５の外周に切欠部５５１が形成されているため、操作盤５５を回転させる場合の支点が形成され、回転の動作が容易になる。
【００２３】
オイル回路制御装置１は、二段速度型であって、ピストン２４の下端に設けたニードルセット２６が軸７に接触する以前の状態において、一旦急速に上昇して位置決めされる。また、オイル回路制御装置１は、内部設置型であるため、使用者が調整を誤ることがなく、油圧式プーラを保護し、安全性を高めるとともに、使用者を保護し、作業上の安全を確保することができる。
【００２４】
この考案による油圧式プーラは、操作ハンドル３２を具え、前記操作ハンドル３２は長さを自在に調整できる伸縮式のハンドルとする。このため、使用者は状況に応じて操作ハンドル３２の長さを伸縮調節することができる。
【００２５】
図１３，１４に開示するように、この考案の油圧式プーラは、操作ハンドル３２の作用によってポンプピストン３１を上下に移動させてオイル給油、及びオイル排出を行う。オイルタンク４内のオイル室４１のオイルが、シリンダ２のオイル室２０に流れると、シリンダ２のピストン２４と、前記ピストン２４の一端に設けられたニードルセット２６が外方向に押し出される。この場合、ニードルセット２６の尖端部とツメ５３のフック部５３１との距離が縮小し、且つツメ５３のフック部５３１と、ニードルセット２６の先端部との距離の縮小運動によって、相対的にワーク６を軸７から外す作用が得られる。
【００２６】
図１０，図１４に開示するように、操作ハンドル３２を上方に押し上げると、ポンプピストン３１が上昇し、オイルタンク４内のオイル室４１のオイルがオイル吸入逆流防止弁１１のオイル進入通路１１１からポンプ３内に進入する。また、図１１，１３に開示するように、操作ハンドル３２を下方に下げると、ポンプピストン３１が下降して、ポンプ３内のオイルがオイル吸入逆流防止弁１１のオイル進出通路１１２を経て、シリンダ２の上段部２２に形成されるオイル室２０に流入する。シリンダ２のオイル室２０にオイルが流入すると、ピストン２４とニードルセット２６が圧力を受け、外方向に移動する。
【００２７】
ポンプピストン３１が上昇、もしくは下降して、オイル吸入、オイル排出の作用が発生する過程において、オイル吸入逆流防止弁１１内に予め設ける高圧逆流防止弁１２は、ポンプ３内に吸入したオイルが逆流してオイルタンク４のオイル室４１に流入することを防ぐ作用を有する。
【００２８】
この考案による油圧式プーラによって、引き抜き対象物であるワーク６を軸７から引き抜いた後、オイル回収スイッチ１３を回転させて、逆流防止弁１４の第１収納孔２２１と、中心孔部２２８とを隔離する作用を停止させ、第１収納孔２２１と、中心孔部２２８とを連通させると、ピストン２４の外周面に嵌挿した弾性体の付勢力によって、ピストン２４とニードルセット２６とが内部に移動し、最後にシリンダ２のオイル室２０内のオイルがオイルタンク４のオイル室４１内に全て戻る。
【００２９】
この考案による油圧式プーラは、オイル回路制御装置１を二段速度型に設定している。従って、オイル回路の制御速度が速く、ピストン２４のニードルセット２６が軸７に接触する以前において、反復して操作ハンドル３２を上下させる必要がなく、一回の操作ハンドル３２の操作でピストン２４のニードルセット２６を迅速に移動させて、軸７に圧接させて位置決めすることができる。
【００３０】
この考案においては、油圧式プーラのオイル回路制御装置１を内部設置型にする。よって、使用者がオイル回路のオイル進出に係る調整を誤ることがなく、油圧式プーラの操作上の安全を確保することができる。
【００３１】
また、操作ハンドル３２は、長さを自在に調整できる伸縮式のハンドルとする。よって、使用者の必要、もしくは状況に応じて操作ハンドル３２の長さを調整することができる。
【００３２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００３３】
【図１】この考案による油圧式プーラの斜視図である。
【図２】この考案による油圧式プーラのオイル回路制御装置の回路図である。
【図３】図１に開示する油圧式プーラの断面図である。
【図４】図１に開示する油圧式プーラの分解図である。
【図５】この考案におけるオイル回路制御装置の構成部材を表わす説明図である。
【図６】図３に開示するＡ―Ａ線に沿った断面図である。
【図７】図３に開示するＢ―Ｂ線に沿った断面図である。
【図７−１】この考案における操作盤の動作を表わす説明図である。
【図８】この考案におけるオイル吸入逆流防止弁、高圧逆流防止弁の構成部材を表わす分解図である。
【図９】図８に開示するオイル吸入逆流防止弁の平面図である。
【図１０】図９におけるＣ−Ｄ線に沿った断面図である。
【図１１】図９におけるＤ−Ｅ線に沿った断面図である。
【図１２】この考案における油圧式プーラの使用態様を表わす説明図である。
【図１３】この考案における油圧式プーラの操作を表わす説明図である。
【図１４】この考案における油圧式プーラの他の操作を表わす説明図である。
【符号の説明】
【００３４】
１        オイル回路制御装置
１１        オイル吸入逆流防止弁
１１１      オイル進入通路
１１２      オイル進出通路
１２        高圧逆流防止弁
１３        オイル回収スイッチ
１４        逆流防止弁
１５        圧力切換弁
１６        高速オイル補給弁
１７        圧力調整弁
２          シリンダ
２０        オイル室
２１        突起部
２２        上段部
２２１      第１収納孔
２２２      傾斜孔
２２３      第２収納孔
２２４      下方ガイド孔
２２５      第３収納孔
２２６      上方ガイド孔
２２７      貫通孔
２２８      中心孔部
２３        雄ねじ山
２４        ピストン
２４０      オイル室
２５        オイルガイド管
２６        ニードルセット
３          ポンプ
３１        ポンプピストン
３２        操作ハンドル
４          オイルタンク
４１        オイル室
５          プーラヘッド
５０        雌ねじ山
５１        接続部
５１１      ネジ孔
５２        連結板
５３        ツメ
５３１      フック部
５４        締結部材
５５        操作盤
５５１      切欠部
５５２      スライド溝
６          ワーク
７          軸
【図１】
0003100838.tif 000003
【図２】
0003100838.tif 000004
【図３】
0003100838.tif 000005
【図４】
0003100838.tif 000006
【図５】
0003100838.tif 000007
【図６】
0003100838.tif 000008
【図７】
0003100838.tif 000009
【図７−１】
0003100838.tif 000010
【図８】
0003100838.tif 000011
【図９】
0003100838.tif 000012
【図１０】
0003100838.tif 000013
【図１１】
0003100838.tif 000014
【図１２】
0003100838.tif 000015
【図１３】
0003100838.tif 000016
【図１４】
0003100838.tif 000017